(57)【要約】【課題】  できるだけ原稿忠実な読取を優先すべく、ゴミ位置とその連続性を検知することによって、ゴミの種類を限定して提示することによりゴミ処理を促進させるＳＤＦ（シートスルー・ドキュメント・フィーダ）付原稿読取装置を提供する。【解決手段】  ＳＤＦを使用して原稿を読み取り、読み取った画像情報をディジタル変換された画像信号に変換し、該画像信号におけるゴミ、キズの補正を行う原稿読取装置であって、原稿面と原稿読み取り素子間とのデータを少なくとも１ライン以上蓄えるメモリ手段と、前記メモリ手段の読み出しデータからゴミ、キズの位置情報を求める位置取得手段と、前記位置情報からシートスルーＤＦの紙送り手段の制御を切り替える切替手段とを備えるようにした。【選択図】  図１１
2006229724.tif 000002
【特許請求の範囲】
【請求項１】
シートスルー・ドキュメント・フィーダを使用して原稿を読み取り、その読み取った画像情報をディジタル変換された画像信号に変換し、前記画像信号におけるゴミ、キズの補正を行う原稿読取装置であって、前記原稿の原稿面と原稿読み取り素子間とのデータを少なくとも１ライン以上蓄えるメモリ手段と、前記メモリ手段の読み出しデータからゴミ、キズの位置情報を求める位置取得手段と、前記位置情報から前記シートスルー・ドキュメント・フィーダの紙送り手段の制御を切り替える切替手段とを備えることを特徴とする原稿読取装置。
【請求項２】
請求項１に記載の原稿読取装置において、前記切替手段は、前記位置取得手段が取得したゴミ、キズの位置が、ある回数以上連続した同じ位置である場合、前記シートスルーＤＦの紙送り手段の前記原稿読み取り動作を止めるようにしたことを特徴とする原稿読取装置。
【請求項３】
請求項２に記載の原稿読取装置において、前記切替手段は、前記原稿読み取り動作を止めた後、操作者に前記原稿読み取りが止まった旨を伝えることを特徴とする原稿読取装置。
【請求項４】
請求項３に記載の原稿読取装置において、前記切替手段は、前記原稿読み取り動作を止めた後、操作部上に原稿読取り窓の清掃を促すメッセージを表示することを特徴とする原稿読取装置。
【発明の詳細な説明】
【技術分野】
【０００１】
本発明は、原稿読取装置に関し、特に、原稿読み取り位置に対して、原稿を副走査方向に搬送し、画像読み取り位置を通過する原稿の画像を読み取るシートスルースキャン方式の原稿読取装置に関し、ディジタル複写機、複合機等の画像形成装置の原稿読取装置に適用して好適である。
【背景技術】
【０００２】
近年、ＳＤＦ（シートスルー・ドキュメント・フィーダ）と呼ばれるＤＦがディジタル画像読取装置において使用されることがある。これは、ランプと集光体、それに追随してミラーを原稿面に移動させることで原稿面を読み取る従来のＤＦ方式と異なり、ランプと集光体、ミラーは止めておき、ランプを光らせ、原稿を移動させることで原稿面を読み取る方式である。
従来のＤＦ方式よりも、シート原稿の読み取り速度が速い、メカ的にＤＦの構造が簡単になるという利点があるため近年使用頻度が高くなっているが、読み取り面にゴミ、傷等があると原稿送り方向（縦方向）にスジが残るという問題がある。これを防ぐための技術として、例えば、特許文献１、２、３がある。
特許文献１は、ＤＦ読み取り時は原稿読み取り窓にあるゴミ、傷等が縦スジの発生原因となるため、周辺の画像データを使って補正するのに対し、圧板読み取り時ではシェーディング補正用白基準板のゴミ付着による縦スジと考えられるため、周辺の画像データで補正をかけるのではなく、周辺のシェーディングデータにてシェーディングテーブルに補正をかけることによって、ＤＦと圧板とで縦スジ補正するブロックを切り替えるようにしたものである。
また、特許文献２は、ベルト方式のＤＦ読み取りの場合に限定した内容で、原稿読み取りを行う前に原稿送り用のベルトを空回しして複数ラインデータを読み込み、ライン方向の連続性からゴミ、傷等を検知し、ゴミ、傷等が検知された場合、メカ的に原稿読み取り位置を移動させゴミ、傷等が無い位置を見つけることを行い、読み取り位置範囲内すべてにゴミ、傷等が検知された場合に始めて、読み取り窓ガラスの清掃を促すものである。
また、特許文献３は、ＤＦ読み取りと圧板読み取りとの読み取り誤差を補正するために、ＤＦ読み取り用の原稿押さえ板にシェーディング補正用の白基準板を貼り、圧板読み取り用の白基準板読み取りにてシェーディング補正を行った後、ＤＦ読み取り用の白基準板読み取りを行い、差分を求めシェーディングテーブルに補正をかけることで、ＤＦ読み取りと圧板読み取りでの濃度差を抑えることを目的としている。
【特許文献１】特開２０００−１９６８８１公報
【特許文献２】特開２００２−１８５７２８公報
【特許文献３】特開２００２−２７１６２０公報
【発明の開示】
【発明が解決しようとする課題】
【０００３】
ところで、縦スジ発生の原因となるゴミには、次のような２種類がある。
１．原稿読取り窓に付着（固着ともいう）したゴミあるいは傷。
２．原稿の紙粉等が原稿読取り窓に落ちてくる浮遊ゴミ。
浮遊ゴミに対しては原稿を連続で読み取った場合、どの位置にゴミが来るか定まらないため、補正手段を積極的に活用する方式を取るが、補正手段はあくまでも縦スジにしないための処理であり、原稿情報の欠落であることには変わらないため、できるだけゴミを除去する方が望ましい。
そのため、固着ゴミあるいは傷が分かった場合には、補正手段をかけるよりは原稿読取り窓を清掃する、あるいは、原稿読み取りガラスを交換する方を優先させたい。上記の従来技術にはこういった点に言及したものはなかった。
本発明は、上述した実情を考慮してなされたものであって、シートスルーＤＦを備えた原稿読取装置において、できるだけ原稿に忠実な読取を優先すべく、ゴミ位置とその連続性を検知することによって、ゴミの種類を限定して提示することによりゴミ処理を促進させる原稿読取装置を提供することを目的とする。
【課題を解決するための手段】
【０００４】
上記の課題を解決するために、請求項１に記載の発明は、シートスルー・ドキュメント・フィーダを使用して原稿を読み取り、その読み取った画像情報をディジタル変換された画像信号に変換し、前記画像信号におけるゴミ、キズの補正を行う原稿読取装置であって、前記原稿の原稿面と原稿読み取り素子間とのデータを少なくとも１ライン以上蓄えるメモリ手段と、前記メモリ手段の読み出しデータからゴミ、キズの位置情報を求める位置取得手段と、前記位置情報から前記シートスルー・ドキュメント・フィーダの紙送り手段の制御を切り替える切替手段とを備えることを特徴とする。
請求項２に記載の発明は、請求項１に記載の原稿読取装置において、前記切替手段は、前記位置取得手段が取得したゴミ、キズの位置が、ある回数以上連続した同じ位置である場合、シートスルー・ドキュメント・フィーダの紙送り手段の原稿読み取り動作を止めるようにしたことを特徴とする。
請求項３に記載の発明は、請求項２に記載の原稿読取装置において、前記切替手段は、前記原稿読み取り動作を止めた後、操作者に原稿読み取りが止まった旨を伝えることを特徴とする。
請求項４に記載の発明は、請求項３に記載の原稿読取装置において、前記切替手段は、前記原稿読み取り動作を止めた後、操作部上に原稿読取り窓の清掃を促すメッセージを表示することを特徴とする。
【発明の効果】
【０００５】
本発明によれば、シートスルーＤＦを備えた原稿読取装置において、できるだけ原稿に忠実な読取を優先すべく、ゴミ位置とその連続性を検知することによって、ゴミの種類を限定して提示することによりゴミ処理を促進させることが可能となる。
【発明を実施するための最良の形態】
【０００６】
以下、図面を参照して、本発明の好適な実施形態について説明する。
図１は、本発明が適用されるローラ方式のシートスルー・ドキュメント・フィーダ（以下ＳＤＦと省略する）を有する原稿読取装置の全体図を示している。このＳＤＦ１は、原稿搬送機構として機能する。
まず、原稿テーブル２に載置された原稿５０は給紙ローラ３により、１枚ずつ原稿読み取り位置５２（図２参照）まで搬送される。レジストスイッチ４、レジストローラ５は、原稿５０が読み取り位置５２に搬送される前に、原稿５０の斜め送りを規制して原稿先端を整える役目をする。
そして、タイミングスイッチ６は搬送中の原稿５０の画像先端タイミングを決めるものであり、そのタイミングスイッチ６から得られた信号は原稿読取装置２００内部にある制御装置に情報として伝えられる。読み取り部としては、第１ミラー９、第２ミラー７、第３ミラー８、レンズ系１０、ＣＣＤ（Charge Coupled Device）から構成される。なお、ＣＣＤは、撮像素子（撮像部材）として機能している。
【０００７】
次に、図２は、原稿読取装置における読み取り部機構を示す図である。
一対に構成されている給紙ローラ３と分離コロ２１が原稿テーブル２上に載置されている１群の原稿５０の束から１枚ずつ搬送する。タイミングスイッチ６は、原稿５０の先端を検知し、搬送される原稿５０の読み取りタイミングを調整する。予め決められているシート原稿押え位置２３まで送られ、原稿読み取り開始前にランプ２８が点灯し、リフレクタで集光され原稿面を照射して、読み取り位置５２で原稿５０の読み取りを行い、得られた画像情報を原稿読取装置２００内部のメモリに記憶する。撮像素子１１による原稿５０の読み取りが終わると、上排出ローラ２４、下排出ローラ２５が回動され、原稿５０が一定速度で送られ、ＳＤＦ１の排紙トレイ１０２に原稿を排出する。その後、順次原稿テーブル２上に載置されている原稿５０の読み取りが行われる。
図３は、一連のコピー動作におけるブロック図である。シートスルーＤＦ１により原稿をスキャンして読み取り、ＩＰＵ（イメージプロセッシングユニット）３０２内で一連の画像処理を行い、プリンタ３０３に画像データを出力し、紙排出が行われる。
ＩＰＵ３０２内の画像処理に必要なパラメータは、ＣＰＵ３０４により設定が行われる。また、パラメータ設定に必要なモード情報は操作部３０６を使ってユーザが指定できるような構成となっている。
【０００８】
図４は、ＩＰＵ３０２からＳＤＦ読み取り補正に関連する部分のみ取り出したブロック図である。
スキャナ読み取りデータパスとしては、シェーディング補正部４０１、像域分離用ラインディレイ部４０２、縦スジ補正部４０６、フィルタ＆スキャナガンマ等のフィルタ４０７の順に処理される。縦スジ補正部４０６の切り替え信号として、ゴミ検出部４０４の結果であるゴミ検出オン／オフの１ビット信号を用いる。
縦スジ補正部４０６と平行に像域分離部４０３があり、フィルタ処理以降の画像処理を文字領域か写真領域か等で切り替えを行っている。像域分離部４０３は、複数ラインの画像データから判定を行うので、像域分離の結果と画像処理の結果のライン同期合わせが必要になってくる。それを行うのが像域分離用ラインメモリである。
ゴミ検出部４０４の内部ブロック図（図５）と、ラインメモリ内の書き込みデータの一例（図６）とを用いて、ゴミ検出部４０４と縦スジ補正部４０６の処理を簡単に説明する。
原稿がＳＤＦ読み取り窓に挿入される前の白押さえ板を読み取るため、ゴミが無い場合には白、ゴミがある場合には黒となる。
まず、入力画像データＲＧＢ（モノクロの場合はＧのみ）を２値化回路５０１で２値化し、白（０）／黒（１）の１ビットデータを生成する。カラーの場合はＲＧＢそれぞれに対して２値化結果が出力されるが、独立に補正をかけると色スジとなる可能性が高く、画質劣化が著しいためＲＧＢ２値化結果をオア回路５０２でオアを取り、ラインメモリ４０５に１ビットデータを書きこむ。
その後、原稿がＤＦ読み取り窓に挿入され、縦スジ補正部４０６にＲＧＢ（モノクロの場合はＧのみ）画像データが入力されるとともに、ゴミ検出部４０４からラインメモリ４０５に書き込まれた１ビットデータが読み出される。なお、このラインメモリ４０５は、原稿の原稿面と原稿読み取り素子間とのデータを少なくとも１ライン以上蓄えるメモリ手段となっている。
【０００９】
図７は、縦スジ補正部の内部ブロック図であり、図８は補正処理の一例である。
原稿読み取りＲＧＢ（モノクロの場合はＧのみ）画像データが入力されるとともにゴミ検出部４０４からゴミ検出結果が読み出され、補間処理が実行される。補間処理法としては直線補間を示しており、画像データＤ４とＤ５がゴミデータであった場合、ゴミ検出結果としてＤ４、Ｄ５に１が出力されるため、Ｄ４、Ｄ５はそのまま用いずに、その近傍の画像データを使って補間処理を実行する。図８の場合、
Ｄ４'＝（Ｄ３×２＋Ｄ６×１）／３
および
Ｄ５'＝（Ｄ３×１＋Ｄ６×２）／３
と補間演算される。
図９（ａ）は、ローラ方式のＳＤＦ、図９（ｂ）は、ベルト方式のＳＤＦにおけるブロック図である。この図９と図１０のタイミングチャートによって、ゴミ検出、縦スジ補正の一連のタイミングについて説明する。
タイミングは、ＳＤＦの方式の違いに依存しないため、図９（ａ）のローラ方式を例にして説明する。
原稿読み取りを始めるまでは、集光体ランプ、リフレクタ等読み取り用キャリッジ９０２は、ホームポジションに位置している。コピースタートキーが押下されるとランプが点灯し、シェーディング補正用基準板白板読み取り位置９０３までキャリッジが移動する。そこで基準白板読み取りが実行され、再びキャリッジがホームポジションまで移動する。
その後、読み取り原稿が読み取り窓に挿入される前に、原稿押え白板を読み取りゴミ検出メモリにゴミ検出結果を書き込む。その後ＤＦ読み取り窓に原稿が挿入され原稿読み取りが開始されると共に、ゴミ検出ラインメモリからゴミ検出結果が出力され、縦スジ補正処理が実行される。
ゴミ検出結果のＣＰＵリードタイミングは、ゴミ検出用のメモリライト終了後で原稿読み取りがスタートする前に行い、原稿読み取り後、次の原稿読み取りに移行するかどうかを判断する。
【００１０】
図１１は、ゴミ検出による切替手段の処理手順を示すフローチャートである。
ＳＤＦに原稿束をセットし、コピースタートキーが押下されると原稿読み取りが連続的に実行される。初期値としてｎ＝０が入力され、原稿読み取りがスタートする（Ｓ１）。
原稿読み取り１枚ごとにゴミ検出結果のＣＰＵリードを行い（ステップＳ２）、読み取りが終了すると（Ｓ３のＹＥＳ）、処理を終了する。
一方、読み取りが終了していないときには（Ｓ３のＮＯ）、ＣＰＵリード結果のゴミ検出位置が異なる場合（Ｓ４のＮＯ）、ステップＳ１へ戻って、固着ゴミあるいはキズで無いとしてｎの値を０にリセットし、再度原稿読み取りを続行する。
ここで、ゴミ検出位置の判定は、ゴミ検出用のメモリリード結果から、ゴミが存在するアドレスがそのままゴミ検出位置となるため、ゴミ検出メモリリード結果のゴミ有りアドレスを比較することで判断する。
他方、ＣＰＵリード結果のゴミ検出位置が同じであった場合（Ｓ４のＹＥＳ）、ｎ＝ｎ＋１として（Ｓ５）、ｎが予め設定したＮ（ゴミ検出位置の連続カウント値のリミット）より小さい場合（Ｓ６のＮＯ）、ステップＳ２へ戻って、再度原稿読み取りを続行する。
しかし、ｎが予め設定したＮよりも大きくなった場合（Ｓ６のＹＥＳ）、複数原稿読み取りを行ってもゴミが移動しない、つまり固着ゴミ、あるいはキズであると判断し、原稿読み取りを中断する（Ｓ７）。
ステップＳ７で原稿読み取りを中断した場合、操作部上に図１２に示すように「読み取りガラスが汚れています」とメッセージを表示し、原稿読み取りを「中断」するか「続行」するかをユーザに選択させる。
ユーザが「続行」を選択した場合には、ステップＳ１へ戻って、再度原稿読み取りが実行される。
しかし、ユーザが「中断」を選択した場合には、図１３に示すようにメンテナンスノートを表示し、ゴミ検出位置を表示して、原稿読取り窓清掃あるいは交換を促す。
以上のような構成により、できるだけ原稿忠実な読取を優先すべく、ゴミ位置とその連続性を検知することによって、ゴミの種類を限定して提示することによりゴミ処理を促進させることが可能となる。
【図面の簡単な説明】
【００１１】
【図１】本発明が適用されるローラ方式のＳＤＦを有する原稿読取装置の全体図である。
【図２】図１に示した原稿読取装置のローラ方式のＳＤＦの原稿読み取り部の拡大図である。
【図３】図１に示した原稿読取装置のＳＤＦ付きディジタル複写機の内部ブロック図である。
【図４】図３に示したＩＰＵ処理部および縦スジ補正関連ブロック図である。
【図５】図４に示したゴミ検出部の内部のブロック図である。
【図６】図４に示したゴミ検出部のゴミ検出結果メモリの一例を示す図である。
【図７】図４に示した縦スジ補正の内部のブロック図である。
【図８】図４に示した縦スジ補正の補間処理の一例を示す図である。
【図９】図１に示した原稿読取装置の周辺構成図であり、（ａ）はローラ方式の場合の図、（ｂ）はベルト方式の場合の図である。
【図１０】図１に示した原稿読取装置のＳＤＦでのゴミ検出、縦スジ補正タイミングチャートである。
【図１１】本発明におけるゴミ検出による切替手段の処理手順を示すフローチャートである。
【図１２】本発明における原稿読み取り中断判定時の操作部表示の一例を示す図である。
【図１３】本発明における原稿読み取り中断判定時の操作部表示の一例を示す図である。
【符号の説明】
【００１２】
１…ドキュメントフィーダー、２…原稿テーブル、３…給紙ローラ、４…レジストスイッチ、５…レジストローラ、６…タイミングスイッチ、７…第２ミラー、８…第３ミラー、９…第１ミラー、１０…レンズ系、１１…撮像素子、２１…分離コロ、２３…シート原稿押え位置、２４、２５…排出ローラ、２８…ランプ、２９…コンタクトガラス、５０…原稿、５２…読み取り位置、１０２…排紙トレイ、２００…原稿読取装置、３０２…ＩＰＵ、３０３…プリンタ、３０４…ＣＰＵ、３０６…操作部、４０１…シェーディング補正部、４０２…像域分離用ラインディレイ部、４０３…像域分離部、４０４…ゴミ検出部、４０５…ラインメモリ、４０６…縦スジ補正部、４０７…スキャナガンマ等フィルタ、５０１…２値化、５０２…オア回路、９０１ａ…ローラ、９０１ｂ…ベルト、９０２…読み取り用キャリッジ、９０３…基準白板読取位置。
【図１】
2006229724.tif 000003
【図２】
2006229724.tif 000004
【図３】
2006229724.tif 000005
【図４】
2006229724.tif 000006
【図５】
2006229724.tif 000007
【図６】
2006229724.tif 000008
【図７】
2006229724.tif 000009
【図８】
2006229724.tif 000010
【図９】
2006229724.tif 000011
【図１０】
2006229724.tif 000012
【図１１】
2006229724.tif 000013
【図１２】
2006229724.tif 000014
【図１３】
2006229724.tif 000015